(57)【特許請求の範囲】
【請求項１】
生体認証の利用により所定人物を識別して少なくとも１人のユーザに通知するための管理生体認証通知システム（ＭＢＮＳ）であって、
商業環境を含む複数の異なる類型の環境に設置された複数の画像取得システムであって、それぞれが第１コンテンツを取り込み、取り込んだ第１コンテンツが第１特徴セットを含む画像取得システムと、
比較モジュールおよびケースのデータベースであって、各ケースが第２コンテンツとケースグループとを含む比較モジュールおよびケースのデータベースと、を具え、
前記データベース内のケースのサブセットが、前記第１コンテンツを取り込んだ環境に基づいて選択され、前記サブセット内の少なくとも１つのケースの第２コンテンツが、前記所定人物の第２特徴セットを含み、
前記第１特徴セットが、前記データベースのケースのサブセット内の１またはそれ以上のケースの前記第２特徴セットと一致することを前記比較モジュールが見出した場合に、１またはそれ以上の一致したケースが特定され、
当該管理生体認証通知システムはさらに、
特定の一致したケースに対応する通知コンポーネントを受信するための１またはそれ以上の受信ノードを具え、
（ｉ）前記一致したケースのケースグループに基づいて、前記通知コンポーネントの受信対象となる１またはそれ以上のユーザグループを特定できるように、ケースグループがユーザグループと結び付けられ、
（ｉｉ）前記一致したケースのケースグループに基づいて、対象となる受信者に対応する１またはそれ以上の受信ノードを特定できるように、受信ノードがユーザまたはユーザグループと関連付けられており、
（ｉｉｉ）前記受信ノードは前記ユーザが選択可能であり、前記通知コンポーネントは前記ユーザが選択可能であることを特徴とする管理生体認証通知システム。
【請求項２】
請求項１に記載のＭＢＮＳにおいて、
対象となる受信者が、万引き犯のケースグループと関連付けられた警備員のユーザグループの警備員であることを特徴とするＭＢＮＳ。
【請求項３】
請求項１に記載のＭＢＮＳにおいて、
前記画像取得システムが、前記画像取得システムのビデオカメラにより取り込まれた複数のフレームから特定のフレームを選択し、前記フレームが顔画像を含み、
前記画像取得システムが、前記特定のフレームから顔画像を分離し、
前記第１特徴セットが、分離された顔画像から得られたものであることを特徴とするＭＢＮＳ。
【請求項４】
請求項１に記載のＭＢＮＳにおいて、
前記比較モジュールがコンピュータ装置に実装され、
当該ＭＢＮＳが、システム管理者によって使用されるためのアカウント管理モジュールをさらに具え、
前記アカウント管理モジュールが、システム管理者に対して、複数のユーザにＭＢＮＳへのアクセスを許可する手段と、複数のユーザの各々を受信ノードに関連付ける手段とを提供することを特徴とするＭＢＮＳ。
【請求項５】
請求項４に記載のＭＢＮＳにおいて、
前記アカウント管理モジュールが、管理者に対して、画像取得システムを追加してそのシステムを特定のユーザに関連付けるための手段を提供することを特徴とするＭＢＮＳ。
【請求項６】
請求項３に記載のＭＢＮＳにおいて、
第１コンテンツから得た情報が、前記ケースのデータベースにケースを登録するために使用されることを特徴とするＭＢＮＳ。
【請求項７】
請求項１に記載のＭＢＮＳにおいて、
複数の環境が複数のケースグループと関連付けられ、
第１コンテンツが、特定の環境において取り込まれ、
ケースとケースグループ間の特徴付けが、マッチングに使用される第２コンテンツの識別を容易にすることを特徴とするＭＢＮＳ。
【請求項８】
請求項１に記載のＭＢＮＳにおいて、
人の身元が前記通知コンポーネントに含まれ、
識別された人の傾向が前記通知コンポーネントに含まれ、
人の身元の決定が、第１コンテンツにより容易にされることを特徴とするＭＢＮＳ。
【請求項９】
請求項１に記載のＭＢＮＳにおいて、
前記比較モジュールは、前記通知コンポーネントに含まれる非画像情報を決定することを特徴とするＭＢＮＳ。
【請求項１０】
請求項９に記載のＭＢＮＳにおいて、
複数のカテゴリの非画像情報が複数のケースグループに関連付けられ、
非画像情報のカテゴリとケースグループの関連付けが、前記通知コンポーネントに含まれる非画像情報の前記比較モジュールによる決定を容易にすることを特徴とするＭＢＮＳ。
【請求項１１】
請求項１０に記載のＭＢＮＳにおいて、
前記通知コンポーネントは、第１コンテンツとともに取り込まれた同時音声を含むことを特徴とするＭＢＮＳ。
【請求項１２】
請求項２に記載のＭＢＮＳにおいて、
特定の一致したケースが名前と対応するように、各ケースが、名前により少なくとも部分的に特徴付けられ、
通知コンポーネントの情報カテゴリが、一致したケースの名前と当局が関連付けた１またはそれ以上の人物を特定することを特徴とするＭＢＮＳ。
【請求項１３】
請求項２に記載のＭＢＮＳにおいて、
前記通知コンポーネントを送信するためのハードウェア及びソフトウェアと、
前記通知コンポーネントを受信するための受信ノードのハードウェア及びソフトウェアと、
送信側のハードウェアと受信側のハードウェアとの間の通信路とをさらに具えることを特徴とするＭＢＮＳ。
【請求項１４】
請求項１３に記載のＭＢＮＳにおいて、
前記通信路は、ショートメッセージサービス（ＳＭＳ）を介して受信ノードに前記通知コンポーネントを送るためのものであることを特徴とするＭＢＮＳ。
【請求項１５】
請求項１３に記載のＭＢＮＳにおいて、
画像を送信するための受信ノードのハードウェア及びソフトウェアをさらに具え、
前記通信路が、双方向通信路であり、画像を送るために受信ノードにより使用されることを特徴とするＭＢＮＳ。
【請求項１６】
請求項１３に記載のＭＢＮＳにおいて、
１またはそれ以上の画像から得た情報が、前記ケースのデータベースにケースを登録するために使用されることを特徴とするＭＢＮＳ。
【請求項１７】
請求項１６に記載のＭＢＮＳにおいて、
申込みに基づくＭＢＮＳへのアクセスを有し、
前記受信ノードは、ＭＢＮＳの申込者のところにあり、
前記データベースは、ＭＢＮＳの申込者のところにはなく、
前記通信路がワイドエリアネットワークを利用することを特徴とするＭＢＮＳ。
【請求項１８】
請求項１３に記載のＭＢＮＳにおいて、
受信した通知コンポーネントを転送するための受信ノードのハードウェア及びソフトウェアをさらに具えることを特徴とするＭＢＮＳ。
【請求項１９】
請求項１８に記載のＭＢＮＳにおいて、
前記受信ノードが、前記通知コンポーネントの内容に基づいて、受信者のグループのうちの特定の受信者に前記通知コンポーネントを転送することを特徴とするＭＢＮＳ。
【請求項２０】
選択した内容を有する通知コンポーネントを、選択した受信ノードに自動的に配信する生体認証ベースの方法であって、
ケースのデータベースを提供するステップであって、各ケースが、生体測定データセットおよびケースグループによって少なくとも部分的に特徴付けられる、ステップと、
商業環境を含む複数の異なる類型の環境に画像取得システムを設けるステップと、
一つの前記画像取得システムから生体測定データセットを含む画像を取得するステップと、
前記データベースからケースのサブセットを選択するステップであって、前記ケースのサブセットが、前記画像を取得した特定の環境の類型に関連したケースグループを有するデータベースのケースである、ステップと、
前記画像を前記ケースと比較して、一致するケースを特定するステップと、
各一致したケースについて、一致したケースに対応する通知コンポーネントを受信する１またはそれ以上の受信ノードを特定するステップとを具え、
前記受信ノードが、ケースとケースグループの関連付けと、受信ノードとケースグループの関連付けとに基づいて特定され、
各一致したケースについて、対応する通知コンポーネントの内容が、ケースとケースグループの関連付けに基づいており、
各一致したケースについて、対応する通知コンポーネントが、ケースにより特定された受信ノードに送信され、
前記受信ノードはユーザが選択可能であり、
前記通知コンポーネントはユーザが選択可能である、
ことを特徴とする方法。
【発明の詳細な説明】
【技術分野】
【０００１】
本発明は、通知システムに関する。特に、本発明は管理生体認証通知システムおよび方法に関する。
【背景技術】
【０００２】
小売店の犯罪、万引き、および不正行為はアメリカで増加している。この増加は、暴力の発生の増加をもたらす。２００６年では、そのような場合に失われた財産の価値は、万引きを除いて、１８０億ドルであったと報告された。万引きは同じ年に４００億ドルの損失をもたらし、２００６年に合計５８０億ドルに達した。何人かはその問題の一部が小売店泥棒の「プロ集団」であったと提言しており、これは十分に組織された人々や大量の商品を盗む暴力団である。このレベルの犯罪と戦うために多くの監視システムが現在用いられているが、大抵の有効なシステムは生体認証製品を利用するものである。
【０００３】
生体認証は、身体特性と行動特性に基づいて人を特徴づけて認識する方法に関する研究であり、または言い換えれば、測定可能な生物学的特性を用いて人を特定するシステムである。身体特性は、人間の体の特徴、例えば指紋、虹彩形状、および顔認識などに関するものである。行動特性は、署名、音声またはキーストロークに関連づけられたものである。生体認証は人が変えることができない特性を測定するため、それは認証目的と識別目的に最も有効である。
【０００４】
生体認証は、広範囲の小売店、施設、エリア、情報および環境を安全にするためのツールの全セットの中でますます重要な部分になった。生体認証システムの利用が普及するようになっているのは、このシステムが多くの従来のセキュリティシステム（例えばユーザ名、パスワードまたは個人の識別番号）より実質的にさらに安全性を提供することができるからである。顔認識技術は、例えば、人が家、事務所、または類似の環境に入場するのを許可するかどうかを判定するか、または人が指名手配されているかどうか判定するのに用いることができる。
【０００５】
一般に、「一対多のマッチング」として知られているものでは、生体認証の特徴抽出処理に先立って、生体認証の特徴のアナログ表現またはデジタル表現が生体認証キャプチャデバイスから取得される。多くの従来システムがデータを取り込むデジタル画像技術に依存しており、これは光学、カメラ、または他の電子機器を含む場合がある。画像のデジタル表現（すなわち、生または未処理の画像データ）は、次いで画像データを特定の表現（すなわち、生体認証マーカまたはテンプレート）に変換するアルゴリズムによって処理される。
【０００６】
生体認証の特徴は１または複数の生体認証サンプルから処理または抽出された情報であり、これは次に格納された生体認証の基準との比較に用いることができる。認証サンプルから、生体認証の特徴抽出がテンプレートを生成し、これはデータベースの１または複数の生体認証テンプレートと比較される。生体認証サンプルの統計学上の特徴により、通常完全に一致しない。その理由で、意志決定プロセスが生体認証テンプレートに従って生体認証データを決め、比較スコアが調整可能な閾値を超える場合に認証を確証するであろう。顔認識はコンピュータを用いることによって機能し、人の顔の構造を分析する。生体認証ソフトウェアは、多くの点および測定値を取得し、目、鼻および口などの特徴間の距離を含む。これは、顎および前頭などの特定の特徴の角度と、顔の様々な部分の長さとを含んでもよい。
【０００７】
今日の研究は、生体認証ソフトウェアの側面またはアルゴリズム開発に集中する。開発するアルゴリズムは、この分野で既知の問題、すなわち、偽陽性と陰性の高い数値を低減することを目的とし、これは他人受入率（ＦＡＲ）と本人拒否率（ＦＲＲ）と呼ばれ、統計モデルの第１種過誤および第２種過誤とみなされる。生体認証に関する技術は、セグメンテーション、分解法、すなわち固有顔、局所特徴分析（ＬＦＡ）、および独立成分分析（ＩＣＡ）を含み、さらにサポートベクトルマシン、Ｅｌａｓｔｉｃ  Ｂｕｎｃｈ  Ｇｒａｐｅｓ、陰関数３次元モデルおよび方法を含む。
【０００８】
より正確でより精密なアルゴリズムが人の識別にとって不可欠であるが、現行システムの実装は大抵情報を適切に広めることができない結果となる。さらに、現行の技術ネットワーク製品を用いた実時間環境の実装では現行システムは不十分である。この不十分さは、環境上の管理欠如、ユーザの統合およびシステムネットワーク上の管理に由来する。
【図面の簡単な説明】
【０００９】
本発明は、以下の添付図面を参照した実施例によって記載される。
【００１０】
【図１】図１は、管理生体認証通知システムのブロック図である。
【図２】図２は、第１コンテンツを取り込むよう適合された管理生体認証通知システムの少なくとも１つの画像取得システムのブロック図である。
【図３】図３は、少なくとも１つの画像取得システム、比較モジュールおよび通知コンポーネントを含む管理生体認証通知システムのブロック図である。
【図４】図４は、比較モジュール、コンテンツ管理モジュール、および少なくとも１つの送信データポイントを含む少なくとも１つの通知コンポーネントを含む管理生体認証通知システムのブロック図である。
【図５】図５は、コンテンツ管理モジュールの詳細なブロック図である。
【図６】図６は、少なくとも１つの予め選択された受信ノードのブロック図である。
【図７】図７は、少なくとも１つの予め選択された受信ノードの実施形態のブロック図である。
【図８】図８は、管理生体認証通知システムの実施形態のブロック図である。
【図９】図９は、管理生体認証通知システムの実施形態のブロック図である。
【図１０】図１０は、画像サーバを含む管理生体認証通知システムのブロック図である。
【図１１】図１１は、ウェブサーバを含む管理生体認証通知システムのブロック図である。
【図１２】図１２は、比較モジュールの処理のフローチャートである。
【図１３】図１３は、管理生体認証通知システムの実施形態のブロック図である。
【図１４】図１４は、少なくとも１つの画像取得システムおよび比較モジュールの処理のフローチャートである。
【図１５】図１５は、サードパーティデータベースへのアクセスを提供する管理生体認証通知システムの実施形態のブロック図である。
【図１６】図１６は、登録処理のブロック図である。
【図１７】図１７は、登録処理に関連データを含むブロック図である。
【図１８】図１８は、イベントを起動するコンテンツ管理モジュールのブロック図である。
【発明を実施するための形態】
【００１１】
管理生体認証通知システム１００が提供される。本書で開示されるものは、特に、インターネットなどの通信媒体上のユーザ対話型フィードバックシステムを含むことができる。後述する技術は、コンピュータソフトウェアアプリケーションを含み、これはユーザのコンピュータシステム上で実行されるとき、そのコンピュータシステムを構成し、その結果ユーザが情報を受信し、コンテンツ比較の結果に基づいて他の選択されたユーザまたはユーザのグループへ提供することができる。
【００１２】
本書で用いられるように、インターネットとは、少なくとも通信するために伝送制御プロトコル／インターネットプロトコル（ＴＣＰ／ＩＰ）を用いるネットワークおよびゲートウエイの世界的な収集のことをいう。ワールドワイドウェブ（ＷＷＷ）とは、ハイパーテキスト転送プロトコル（ＨＴＴＰ）サーバに存在する相互連結したハイパーテキスト文書の全体集合のことをいい、ウェブサーバは任意の種類のウェブサーバ、例えばＡＰＡＣＨＥとすることができる。本書で用いられるように、ＷＷＷとはさらに、安全なポートを介して暗号化と送信を提供するＨＴＴＰサーバ（ＨＴＴＰＳ）などのセキュアサーバにアクセスされる文書のことを少なくともいう。本書で用いられるように、用語「ウェブサイト」とは、１以上の関連のＨＴＭＬ文書並びに関連ファイル、スクリプトおよびデータベースのことを少なくともいい、これはＷＷＷ上のＨＴＴＰまたはＨＴＴＰＳサーバによって提示することができる。用語「ウェブブラウザ」とは、ＨＴＭＬ文書をユーザに閲覧させ、これらの文書に関するファイルおよびソフトウェアにアクセスさせるソフトウェアのことを少なくともいう。
【００１３】
以下の実施形態に示されるシステムの任意の１以上の要素は、他の要素の何れかまたは全てから遠くに配置することができ、所定の実施形態の要素の何れかは、実際には、全く別のシステムの一部とすることができる。さらに、以下の実施形態について、それらは管理生体認証通知システム１００に関して記載されるが、限定されないが指紋認識システム、虹彩認識システム、掌形判別システム、および署名認識システムを含む他の生体認証技術と共に本発明の多くの態様が利用可能である。本発明の少なくとも幾つかの実施形態は、画像から取り込まれた情報を利用する生体認証アプリケーションに特に有利である。
【００１４】
図１は、管理生体認証通知システム１００を示す。管理生体認証通知システム１００は、第１コンテンツ１１０を取り込むよう適合された少なくとも１つの画像取得システム１０５と、システム１００内のコンテンツを比較および配信するための比較モジュール１４０と、システム１００を制御および管理するためのコンテンツ管理モジュール１８０と、少なくとも１つの予め選択された受信ノード２２０とを含む。
【００１５】
図２は、少なくとも１つの画像取得システム１０５をより詳細に示している。少なくとも１つの画像取得システム１０５は、レンズ１２０と、演算処理装置１２５と、デジタルセンサチップ１３０と、メモリ１３５と、第１コンテンツ１１０とを取り込むよう適合されている。第１コンテンツ１１０は、少なくとも１つの画像取得システム１０５によって取り込まれ、管理生体認証通知システム１００の比較モジュール１４０に送信される。
【００１６】
図３は、比較モジュール１４０と通知コンポーネント１７０をより詳細に示す。比較モジュール１４０は、第１コンテンツ１１０を受信するよう構成され、少なくとも１つのプロセッサ１４５と、少なくとも１つのデータベース１５０と、少なくとも１つの検索エンジン１６０と、関連メモリ１６５とを含む。少なくとも１つの検索エンジン１６０は、少なくとも１つの画像取得システム１０５と少なくとも１つのデータベース１５０とに動作可能に接続される。少なくとも１つのプロセッサ１４５は、少なくとも１つの画像取得システム１０５と少なくとも１つの検索エンジン１６０とに動作可能に接続され、統計的閾値が比較されたコンテンツ間で満たされれば、通知コンポーネント１７０が生成される。
【００１７】
図４は、比較モジュール１４０と、コンテンツ管理モジュール１８０と、通知コンポーネント１７０と、少なくとも１つの送信データポイント１７５とを示している。通知コンポーネント１７０は、第１コンテンツ１１０と、第２コンテンツ１５５が少なくとも１つのデータベース１５０に配置され、比較された後に比較モジュール１４０により送信される。コンテンツ管理モジュール１８０は、システム１００の１人または複数人のユーザに、少なくとも１つの送信データポイント１７５を含む通知コンポーネント１７０の配信を管理および制御するよう構成される。
【００１８】
図５は、コンテンツ管理モジュール１８０を詳細に示している。コンテンツ管理モジュール１８０は、比較モジュール１４０と相互作用することによって機能する管理生体認証通知システム１００を管理および制御するための手段を提供する。システム１００のユーザに必要な機能を提供する際に、コンテンツ管理モジュール１８０はケースモジュール（「ＣＭ」）１８５と、通知モジュール（「ＮＭ」）１９０と、データベース検索およびレポートモジュール（「ＤＢＲＭ」）１９５と、データベースと、サブスクリプションコンテンツモジュール（「ＳＣＭ」）２００と、支援モジュール（「ＳＭ」）２０５と、アカウント管理モジュール２１０（「ＡＭＭ」）とを含む。
【００１９】
コンテンツ管理モジュール１８０は、グラフィカルユーザインタフェース（ＧＵＩ）として働き、ユーザとの対話処理と、フィードバック機能と、管理生体認証通知システム１００を制御および管理する機能とを提供する。実施形態では、コンテンツ管理モジュール１８０はウェブポータルを介してネットワークを通してアクセスされる。コンテンツ管理モジュール１８０は、コンピュータ読み取り可能な媒体に格納されるコンピュータ実行可能命令を含むコンピュータ読み取り可能な実行可能プログラムに含まれ、汎用コンピュータシステムと共に利用可能である。別の実施形態では、コンテンツ管理モジュール１８０は、無線ネットワーク上でコンピュータとサーバの間で送信された１以上の搬送波信号などの送信媒体に含まれる。
【００２０】
ＣＭ１８５は、管理生体認証通知システム１００のコンテンツおよび情報をユーザに管理および生成させるよう構成されたモジュールである。ＣＭ１８５は、ケース情報と関連ケース識別番号（「ＣＩＮ」）を生成する機能を提供し、さらにケース情報を修正する機能をユーザに提供する。ユーザは、少なくとも１つの画像取得システム１０５から取り込まれた第１コンテンツ１１０の「登録」によってケースを生成することができる。登録は、人から生体認証データを集め、続いて人の身元を表わす基準テンプレートにデータを格納するプロセスである。この手続きは重要であり、さもなければユーザがシステム１００によって認識されない人に精通している必要がある。生成されたコンテンツは、次に比較モジュール１４０の少なくとも１つのデータベース１５０に格納される。
【００２１】
もし閾値または十分な類似度の条件を満たせば、ＣＭ１８５は第１コンテンツ１１０で第２コンテンツ１５５をさらに更新する機能を提供する。この特徴は不可欠であり、管理生体認証通知システム１００は環境から利用可能な期限切れの情報と現行情報を有する。ＣＭ１８５はさらに、特定の基準に基づいてケース情報をユーザにグループ化させるよう構成されている。例えば、「ケースグループ」は「万引き犯」、「重要人物」、または「記録のある人」とラベルづけすることができる。通常、ケースグループは任意のグループとして規定することができ、ここでは識別が周囲環境にとって重要である。
【００２２】
ＣＭ１８５はさらに格納されたコンテンツを管理する。ＣＭ１８５は通常データベース内の配置モジュールの機能を全て含む。この機能は、格納されたコンテンツ（ＤＢＲＭ１９５を参照）を検索することも可能なフィールドと、使用メニューと、情報を配置するためのタブ機能とを含む。含まれるフィールドは、名前と、生年月日と、性別と、違反リストと、経歴と、所見と、取引と、環境内の相互関係とを含むことができる。しかしながら、コンテンツをより十分に定義し、検索機能（ＤＢＲＭ１９５参照）を強化するために個人または環境に特有のフィールドをさらに追加することができる。
【００２３】
ＮＭ１９０は、管理生体認証通知システム１００の少なくとも１人のユーザに通知するための手段をユーザに提供するよう構成されたモジュールである。ＮＭ１９０は、比較モジュール１４０と連動して、システム１００のユーザと対話処理する様々な方法をユーザに選択させる。通知コンポーネント１７０は、情報を受信するユーザまたはユーザグループのＮＭ１９０へのユーザ優先度または予め選択された入力に基づいて送信することができる。ＮＭ１９０で定義されるユーザまたはユーザグループは、１つまたは複数のケースグループ（ＣＭ１８５によって構成される）に結び付けることができる。実施形態では、ＮＭ１９０はユーザまたはユーザグループが少なくとも１つの通知コンポーネント１７０と、日、週、月および年などの時間間隔に基づく送信データポイント１７５とを受信するかどうかをユーザに判定させる。
【００２４】
ＮＭ１９０はさらに様々な通知コンポーネント１７０を送信する機能をユーザに提供する。実施形態では、通知コンポーネント１７０は比較モジュール１４０から送信することができ、これは実施形態では、様々な優先度または例えばＳＭＳ、ＭＭＳ、電子メール、インスタントメッセージ、ボイスメールなどの様々な配信方法に基づく通知サーバを含む。さらに、ＮＭ１９０は少なくとも１つのデータベース１５０の幾つかの異なる種類のコンテンツをユーザに選択させることもでき、ここでは通知コンポーネント１７０と共に送信される。
【００２５】
実施形態では、ユーザは閾値を制御することができ、ここでは第１コンテンツ１１０と第２コンテンツ１５５がそれぞれ比較される。しかしながら、この機能はＡＭＭ２１０に実装することもできる。実施形態では、ユーザがオペレータまたは例えば管理者権限の自動オペレータモジュールに閾値でない比較値を送信し、比較値を検証する際の第１測定値または第２測定値として実質的な類似度を判定することができる。この機能は、「確証のない」または閾値でない１または複数の比較値が生じる場合に利用することができる。
【００２６】
多くのシナリオを詳述することができ、特定情報は予め選択された時間と方法で適切なユーザに送信され、彼らがその種類の情報を取り扱うよう選択するか、または彼ら個人に特有の様々な因子に基づいて送信すべき特定情報を要求しているため、上記実施例は決して限定するよう意図されていない。
【００２７】
ＤＢＲＭ１９５は、レポートを開発し、管理生体認証通知システム１００の少なくとも１つのデータベース１５０を検索する機能をユーザに提供するよう構成されたモジュールである。少なくとも１つのデータベース１５０は、ＣＭ１８５で生成されたフィールドを介してシステム１００に提出された任意のケース情報により検索することができる。情報は、レコード、備考、所見、詳細、および環境内の個人の状態または性向に関してユーザに知らせることが可能な他の情報を含むことができる。ユーザはケースにアクセスおよび閲覧し、レポートを生成することができ、レポートは限定されないが、登録ログおよび通知ログ、さらに他の内部統計も含む。ＤＢＲＭ１９５は、任意の一般形式でこれらのログとレポートをエクスポートする機能も提供する。
【００２８】
ＳＣＭ２００は、最新かつ利用可能なデータベースサブスクリプションを申し込み、管理し、および閲覧する機能をユーザに提供するよう構成されたモジュールである。このモジュールは、管理生体認証通知システム１００で参照されるコンテンツまたは第２コンテンツ１５５を増加させる。システム１００はさらに利用可能なデータベースを集約化し、利用可能なデータベースの説明、各データベースの関連する値付け、および全コンテンツの参照などのサブスクリプション情報をユーザに提供する。ＳＣＭ２００は、システム１００の他の申込者とデータベースを共有し、または「提携（Ａｌｌｉａｎｃｅｓ）」を形成する機能をユーザに提供する。しかしながら、この機能は、実施形態では、ＣＭ１８５に含まれる場合がある。このモジュールの機能は、システム１００を実装する権限を要求し、他のデータベースをデータマイニングする機能も提供する。データマイニングの処理は、他のサードパーティデータベースからデータを処理する機能を含み、それらのデータベースで見つかった顔画像と他の情報から処理または抽出された特徴セットに基づいて１または複数のデータベースを生成するであろう。
【００２９】
ＳＭ２０５は、管理生体認証通知システム１００を実装するシステム１００の管理者または権限者と共にコンテンツ管理モジュール１８０のユーザに利用者対話処理とサポートを提供するよう構成されたモジュールである。ＳＭ２０５は、システム１００の問題を解決するユーザを支援するよう構成された対話型プログラムを提供する。ＳＭ２０５に存在する問題も追跡し、管理することができる。ＳＭ２０５は、一般に提出された問題への回答を提供するよくある質問のアプリケーションを含み、さらにライブヘルプおよびチャットプログラムを含む他のサポート方法を含む。
【００３０】
ＡＭＭ２１０は、管理生体認証通知システム１００と、ユーザアカウントと、アクセスを管理するインターフェースと、システム１００のデータを実装する管理者または権限者を提供するよう構成されたモジュールである。ＡＭＭ２１０を介して、優先度を設定したり、他のユーザおよびＣＭ１８５のサブユーザのアクセスの追加、削除、変更を含むシステム１００への権限およびシステム１００内での権限を設定したりする機能がある。ＡＭＭ２１０は、少なくとも１つの画像取得システム１０５と、少なくとも１つの予め選択された受信ノード２２０と、さらにシステム１００に関連した他のコンポーネントとを追加、編集、削除するよう構成されている。従業員の増加および／または少なくとも１つの画像取得装置１０５を実装するエリアの増加によりコンポーネントが追加される場合、この特徴は特に重要である。
【００３１】
実施形態では、ＡＭＭ２１０は一つの権限により比較モジュール１４０と共に実装することができ、複数実装された管理生体認証通知システム１００の制御を有する。この実施形態では、コンテンツ管理システム１８０の残りのモジュールを環境内に実装することができ、またはウェブポータルによりユーザに提供することができる。この実施形態では、システム１００のユーザは本書で記載されたモジュールにより比較モジュール１４０と対話処理することができる。この機能は、複数の環境に実装されたシステム１００の制御と、それらの環境の１以上間の対話処理を可能にする。
【００３２】
図６は、少なくとも１つの予め選択された受信ノード２２０を示している。実施形態では、ノードが端末であり、これは複数とすることができ、コンピュータネットワーク上のマザーボードがセントラルプロセッサ２３０と、プログラムおよびまたはデータを格納するための関連メモリ２４０（例えば、ＤＲＡＭ、ＲＯＭ、ＥＰＲＯＭ、ＥＥＰＲＯＭ、ＳＲＡＭ、ＳＤＲＡＭ、およびフラッシュＲＡＭ）と、入出力制御部２５０と、任意の専用論理デバイス（例えばＡＳＩＣ）もしくは書換可能な論理デバイス（例えばＧＡＬと、リプログラマブルなＦＰＧＡと、ネットワークインターフェース２６０と、表示デバイス２８０と、１以上の入力デバイス２９０と、ハードディスクドライブ３００と、フロッピーディスクドライブ３１０と、自身で通信を可能にし、これらのコンポーネントを接続するデータバス２７０（例えばＳＣＳＩバス、拡張ＩＤＥバス、またはウルトラＤＭＡバス）とを含む。
【００３３】
中央プロセッサ２３０は、任意の種類のマイクロプロセッサとすることができる。表示デバイス２８０は、生成された出力を表示することが可能な液晶ディスプレイ（ＬＣＤ）、陰極線管ディスプレイ（ＣＲＴ）、または発光ダイオード（ＬＥＤ）などの任意の種類のディスプレイとすることができる。入力デバイス２９０は、キーボード、テンキー、タッチスクリーン、ポインティングデバイス、スイッチ、スタイラス、およびライトペンなどの本書で記載される入力部を提供することが可能な任意の種類のデバイスとすることができる。
【００３４】
ネットワークインターフェース２６０は、任意の種類のデバイス、カード、アダプタ、またはコネクタとすることができ、これはコンピュータまたは他のネットワーク接続可能なデバイスへネットワークアクセスする少なくとも１つの予め選択された受信ノード２２０を提供する。一実施形態では、インターフェース２６０がインターネットなどのコンピュータネットワークに少なくとも１つの予め選択された受信ノード２２０を接続させることができる。コンテンツ管理モジュール１８０は、実施形態では、ハードディスクドライブ３００、フロッピーディスクドライブ３１０、またはネットワークインターフェース２６０により予め選択された受信ノード２２０に読み込まれ、別の実施形態では、比較モジュール１４０内に含まれる。あるいは、プログラムがメインメモリ２４０の固定記憶部（例えば読み出し専用メモリ（ＲＯＭ）チップ）に常駐することができる。
【００３５】
少なくとも１つの予め選択された受信ノード２２０は、クライアントとサーバの少なくとも１つで実装することができる。「クライアント」とは、ファイルを要求または受信するものを意味するよう広く解釈することができ、「サーバ」とは、ファイルを送信または転送する実体と広く解釈することができる。実施形態では、少なくとも１つの予め選択された受信ノード２２０が通信コネクションを用いてネットワーク接続された環境で動作し、１以上のリモートコンピュータに接続する。リモートコンピュータは、パーソナルコンピュータ、サーバ、ルータ、ネットワークＰＣ、ピアデバイスまたは他の共通ネットワークノードを含むことができる。通信コネクションは、ローカルエリアネットワーク（ＬＡＮ）、ワイドエリアネットワーク（ＷＡＮ）または他のネットワークを含むことができる。
【００３６】
図７は、少なくとも１つの予め選択された受信ノード２２０の実施形態を示している。実施形態では、少なくとも１つの予め選択された受信ノード２２０が少なくとも１つの通知コンポーネント１７０を受信するためのトランシーバまたは他の類似する手段である。受信手段は、限定されないが、携帯電話、携帯情報端末（ＰＤＡ）または他の類似する携帯型の携帯機器を含むことができる。さらに、この実施形態では、少なくとも１つの予め選択された受信ノード２２０が少なくとも１つの画像取得システム１０５として機能することができ、第１コンテンツ１１０を取り込み、通知コンポーネント１７０と少なくとも１つの送信データポイント１７５を受信する手段をユーザに提供する。トランシーバの使用は、環境内のユーザに機動性と多用性を提供する。トランシーバは、クライアントサーバシステムまたはピアツーピアシステムなどの他のデバイスにネットワーク接続することができ、ユーザが環境内の別のトランシーバに情報を受信および送信させることができる。
【００３７】
使用時には、環境内へ管理生体認証通知システム１００を実装する際に、第１コンテンツ１１０が少なくとも１つの画像取得システム１０５により取り込まれる。実施形態では、第１コンテンツ１１０が人の画像であり、画像は実質的に顔面領域を含む。別の実施形態では、第１コンテンツ１１０が手書きまたは印字画像のマシンテキストへの電子翻訳または光学文字認識（ＯＣＲ）であり、ここではマシンビジョンカメラまたはデジタルビデオカメラおよびコンピュータが英数字の読み出しおよび分析するのに用いられる。しかしながら、第１コンテンツ１１０は一般に環境に重要なあらゆる種類の情報とすることができる一方、ある種類の情報のみが比較モジュール１４０により認識され、残りの情報は分類、格納、およびコンテンツを比較するのと同じ方法でユーザ要求の際に読み出すことができる。
【００３８】
図８は、一実施形態において、商業環境３２０に配置された少なくとも１つの画像取得システム１０５を示している。この実施形態では、商業施設が管理生体認証通知システム１００を実装することができ、商業環境３２０で発生する「万引きによる在庫数減少（ｓｈｒｉｎｋａｇｅ）」または他の犯罪の量を低減する。図９で示されるように、別の実施形態では、同じ地域内の店舗または同じチェーン内の店舗は、システム１００の申込者であり、少なくとも１つの中央データベース３２５を共有することができる。図示する構成は、ある店舗または複数の店舗に関して、コンテンツ管理モジュール１８０を構成することにより、情報の共有を可能にしており、特定の活動の通知または店舗チェーンもしくは地域に特有の人について別の「提携（Ａｌｌｉａｎｃｅｓ）」を設けている。
【００３９】
実施形態では、少なくとも１つの画像取得システム１０５がマシンビジョンカメラを含む。マシンカメラは、１５ｆｐｓ（ＳＸＧＡ）または３４ｆｐｓ（ＶＧＡ）の何れかのフレームレートで取り込み、標準プロセッサ、オペレーティングシステム、ＳＤＲＡＭおよびイーサネット、ＵＳＢシリアルポートおよびモニタ出力によるＩ／Ｏ接続などのカメラ特性を含む。マシンビジョンシステムのコンポーネントは、以下の幾つかを含むであろう：画像を取得するための光学部品を有する少なくとも１つのデジタルまたはアナログのカメラ。画像をデジタル化するためのインターフェース（ＣＣＴＶカメラの場合に「フレームグラバー」として広く知られている）。プロセッサ（しばしばＰＣまたはＤＳＰなどの組み込みプロセッサ）（幾つかのケースでは、上記の全てはスマートカメラと呼ばれる単一デバイスに結合される）。結果を報告する入出力ハードウェア（例えばデジタル入出力）または通信リンク（例えばネットワーク接続）。画像センサへ所望の視界の焦点を合わせるレンズ。画像を処理し、かつ関連する特徴を検出するプログラム。実施形態では、マシンビジョンカメラが検出用の同期センサ（しばしば光学センサまたは磁気センサ）を含み、画像取得と画像処理を始動させる。画像を取得するための手段として管理生体認証通知システム１００と連動して多くの利用可能なデジタルビデオとデジタルカメラを用いることができることを当業者は理解することができるため、この実施例は決して限定されるものではない。
【００４０】
この実施形態では、図１０に示されるように、少なくとも１つの画像取得システム１０５が多量の収集データのため、サイト上に少なくとも１つのサーバ３８５を含み、大量のデータ収集を取り扱う。この実施形態では、少なくとも１つの画像取得システム１０５が画像サーバ３８５に第１コンテンツ１１０を送信し、画像サーバ３８５は第１コンテンツ１１０を格納し、第１コンテンツ１１０と第２コンテンツ１５５との比較がそれぞれ閾値の類似度をもたらした後に（図１４に示される処理）、比較モジュール１４０に送信する。別の実施形態では、図１１で示されるように、少なくとも１つの画像取得システム１０５が比較モジュール１４０のウェブサーバ３９０に第１コンテンツ１１０を送信する。この構成は、システム１００の構成要素をネットワークに接続される様々な位置に存在させることができる。
【００４１】
環境、または別の方法いわゆる「追跡環境」から第１コンテンツ１１０を取り込んだ後、第１コンテンツ１１０は次に比較モジュール１４０に送信される。このステップは一般に「画像取得」と呼ばれる。画像取得とは、コンピュータがコンピュータ内にカメラから画像データを取得する方法のことをいう。実施形態では、少なくとも１つの画像取得システム１０５が比較モジュール１４０に非圧縮ビデオを送信する。実施形態では、少なくとも１つの画像取得システム１０５がネットワーク上にある。
【００４２】
図１２は、比較モジュール１４０の処理を示す。比較モジュール１４０は、受信する第１コンテンツ１１０から１セットの記述子または特徴セット１１０ａを生成するよう構成される。比較モジュール１４０は、少なくとも１つの検索エンジン１６０を含み、画像取得システム１０５と少なくとも１つのデータベース１５０とに動作可能に接続される。少なくとも１つの検索エンジン１６０は、メモリ１６５に格納された一連の命令を実行し、第１コンテンツ１１０の特徴セット１１０ａと、第２コンテンツ１５５の実質的に類似する特徴セット１５５ａとを処理するようプログラムされる。
【００４３】
特徴セット１１０ａおよび１５５ａが所定の閾値を満たす場合、比較モジュール１４０は比較が一致していると判定する。次に通知コンポーネント１７０が送信され、これは実施形態では、比較モジュール１４０に動作可能に接続した通知サーバを含むことができる。別の実施形態では、比較が一致しない場合、通知コンポーネント１７０も送信することができる。前述したように、オペレータはこの連結点で使用することができ、実質的な類似度を判定する。しかしながら、マッチングが発生するかどうかに拘わらず、コンテンツは少なくとも１つのデータベース１５０に格納される。通知コンポーネント１７０は、ＮＭ１９０により利用可能に作成された任意の種類の通知で構成され、同じモジュールによって示される任意の優先度で配信することができる。さらに、少なくとも１つの送信データポイント１７５も通知コンポーネント１７０と共に送信され、その形式とタイミングは同じように決定される。
【００４４】
図１３に示されるように、図１０と図１１に関して、管理生体認証通知システム１００の実施形態である。この実施形態では、比較モジュール１４０が第１コンテンツ１１０の特徴セット１１０ａを受信する。しかしながら、図１０と図１１で示されるように、第１コンテンツ１１０は画像サーバ３８５またはウェブサーバ３９０に格納され続ける。実施形態では、抽出処理が少なくとも１つの画像取得システム１０５で局所環境３２０内で実装される。この実施形態では、図１４に示されるように、少なくとも１つの画像取得システムのプロセッサ１２５が、メモリ１３５に格納された一連の命令を実行し、第１コンテンツ１１０の特徴セット１１０ａを処理するようプログラムされる。本書では、比較モジュール１４０で見つけられるアルゴリズムまたは抽出モジュールが少なくとも１つの画像取得システム１０５に実装される。比較モジュール１４０は次いで、図１０に示されるように、特徴セット１１０ａを第２コンテンツ１５５の処理された特徴セット１５５ａと比較するよう構成される。統計的閾値または十分な類似度が満たされる場合、第１コンテンツ１１０は要求に基づいて比較モジュール１４０に送信される。
【００４５】
実施形態では、比較モジュール１４０が第１コンテンツ１１０の特徴セット１１０ａと第２コンテンツ１５５の特徴セット１５５ａを処理するよう設計された顔認識アルゴリズムを含む。別の実施形態では、処理アルゴリズム、または自身にあるモジュールが少なくとも１つの画像取得システム１０５で商業環境内に実装され、特徴セット１１０ａを処理し、比較モジュール１４０を含む。比較モジュール１４０によって用いられる一連の命令は、Ｉｄｅｎｔｉｘ（登録商標）社（Ｌ−１  Ｉｄｅｎｔｉｔｙ  Ｓｏｌｕｔｉｏｎｓ  Ｃｏｍｐａｎｙと合併した）の「ＦＡＣＥ−ＩＴ」顔認識システム、またはＣｏｇｎｉｔｅｃ  Ｓｙｓｔｅｍｓの「Ｆａｃｅ  ＶＡＣＳ」（登録商標）を含むことができる。通常、広く利用可能な技術は、新しいヘアスタイル、眼鏡、または光の変化による変動と同様に、真似と老化を含む人の顔の変化と無関係に個人を特定することができる。
【００４６】
コンテンツの比較に関係するアルゴリズムは、関係するデータの統計上の近似を判定するよう実装されるため、個人の統計上の近似をさらに限定するように、例えばテキスト形式で、環境内の個人の他の特徴を特定するアルゴリズムと同様に、顔面識別の判定に複数のアルゴリズムを実装することができる。コンテンツを比較するための管理生体認証通知システム１００と連動して、多くの利用可能なアルゴリズムを用いることができるため、その実施例は決して限定されないことを当業者は理解することができる。
【００４７】
上記で示されるように、第１コンテンツ１１０と第２コンテンツ１５５をそれぞれ比較する際に、比較モジュール１４０が少なくとも１つのデータベース１５０から引き出す。しかしながら、コンテンツ管理モジュール１８０と連動する比較モジュール１４０は様々な異なるコンテンツ形式、データベースおよびサーバへのアクセスを提供する。図１５が示すように、実施形態では、データベースのコンテンツは予め設定することができ、すなわち、それは一般のデータベースまたはサードパーティデータベース、例えば政府、法執行機関、国営データベース、またはユーザがデータマイニングするのに必要なデータベースなどの申し込みの結果である。別の実施形態では、上記に示されるように、第２コンテンツ１５５が局所環境３２０により予め設定され、これは内部の社内記録と文書以外に基づいてもよい。そのため、データベースのコンテンツは、ユーザ入力とフィードバックによりシステム１００で生成されたコンテンツから構築することができる。第２コンテンツ１５５は、システム１００の環境の外部から生成することもできる。
【００４８】
図１６に示されるものはＣＭ１８５による登録処理である。この実施形態では、ユーザが管理生体認証通知システム１００に個人を登録することができる。システム１００は、特徴セット１１０ａが処理され、少なくとも１つのデータベース１５５に格納されるときの生成処理または登録処理を含む。図１７に示されるように、ＣＭ１８５は第１コンテンツ１１０と共に関連データ１１０ｂをアップロードする機能をユーザに提供し、例えば図６によって提供されるように、第１コンテンツ１１０に関する相互関係および／または所見を意味する。
【００４９】
第１コンテンツ１１０と関連データ１１０ｂが少なくとも１つのデータベース１５０に入った後、それは第２コンテンツ１５５と関連データ１５５ｂになる。実施形態では、比較モジュール１４０が関連データ１５５ｂ専用のデータベースを含み、別の実施形態では、本書で記載された各種類の関連データ１５５ｂ専用のデータベースを含む。第２コンテンツ１５５は、次にユーザによってコンテンツ管理モジュール１８０により操作することができる。管理生体認証通知システム１００は通常、システム１００に既に保持されている個人の識別情報と、システム１００にないが将来の日付で特定されることになっている個人の画像を保有する。
【００５０】
第１コンテンツ１１０と第２コンテンツ１５５がそれぞれ一致しなければならない程度は「十分な類似度」と考えられる。類似度のこのレベルは、閾値または管理生体認証通知システム１００のユーザにより示される所定セットのパラメータである。これらのパラメータはユーザによって変更されてもよく、実施形態では、ＡＭＭ２１０によって定義されるように、システム１００の権限を与えられたユーザによって変更される。比較モジュール１４０は特徴セット１１０ａと１５５ａの十分な類似度を判定し、その類似度の閾値を満たすかどうかコンテンツ管理モジュール１８０によって判定されるとき、通知コンポーネント１７０と少なくとも１つの送信データポイント１７５が送信される。
【００５１】
実施形態では、比較モジュール１４０が比較した特徴セット間で変化する類似度の程度に応じて複数の第２コンテンツ１５５を送信する場合または特徴セット１１０ａおよび１５５ａがシステム１００の所定の閾値を満たさない場合、オペレータが実質的な類似度を判定する。上述されるように、オペレータは実質的な類似度を判定する際に第１測定値または第２測定値として実装することもできる。
【００５２】
比較が所定の閾値を満たした後、ユーザによりＮＭ１９０を介してコンテンツ管理モジュール１８０に入力した予め選択された基準に基づいて比較モジュール１４０が通知コンポーネント１７０を送信する。通知コンポーネント１７０は、ＮＭ１９０で説明されるように多くの異なる形態で構成することができる。通知コンポーネント１７０は無線通信することができ、限定されないがショートメッセージサービス（ＳＭＳ）、マルチメディアメッセージサービス（ＭＭＳ）、電子メール、インスタントメッセージまたは電子メールからのＳＭＳ、ＳＭＳからの電子メール、ＭＭＳからの電子メール、またはコンピュータからのＳＭＳアプリケーションの利用を含む。
【００５３】
少なくとも１つの送信データポイント１７５は、通知コンポーネント１７０と共に送信される情報であり、実施形態では、例えば比較モジュール１４０の比較画像などの画像または本書に記載された任意の形式の第２コンテンツ１５５を含む情報で構成される。別の実施形態では、少なくとも１つの送信データポイント１７５が関連データ１５５ｂ、または最近比較された第２コンテンツ１５５に共に関連データ１５５ｂを含む。しかしながら、個人の記録またはその個人が関係があると知られている他人、既知の共犯者、本書で述べられた任意の他の形式で記載するコンテンツも送信することができる。
【００５４】
さらに、犯罪状況では、第１コンテンツ１１０と第２コンテンツ１５５の比較がそれぞれ実質的に類似する閾値をもたらし、少なくとも１つの通知コンポーネント１７０が送出され、これはその犯罪者の識別を詳述し、例えば以前の犯罪履歴、逮捕状、州刑務所、刑務所、有罪判決、逮捕、容疑、関係機関、以前に盗んだ商品、スタッフの取り扱い、および暴力団所属などの関連データ１５５ｂを含むことができる。実施形態では、少なくとも１つの送信データポイント１７５が、例えば説明書、案内書、および／またはその環境の製品に特有のユーザーマニュアルなどの音声情報および／またはテキスト情報を含むことができ、これはＣＭ１８５を介して記録することができる。しかしながら、少なくとも１つの送信データポイント１７５の詳細は、システム１００で比較されるコンテンツに大きく依存する。そのため、商業環境への局所的な行動またはイベント、または他の個人についての一般的な情報も送信することができる。この特徴は、以前の買い物の傾向、量、およびよくある質問に基づくカスタマイズサービスを提供するのに役立てることができる。
【００５５】
通知コンポーネント１７０は、管理生体認証通知システム１００の１以上の機能として働く。別の実施形態では、通知コンポーネント１７０がイベントを起動または開始することができる。比較モジュール１４０は、アクチュエータ３３０へ命令信号として通知コンポーネント１７０を送信し、これはイベント、例えばモータを実行したり、またはアプリケーションで別のネットワーク接続されたデバイスを起動したりするよう機能する。電動イベントを起動する際には、サーボ機構を接続することができ、これは別のメカニズムまたはシステムの動作用の測定エネルギ量を供給および送信する。実施形態では、機能的なインタフェースがＳＭＳゲートウェイと相互作用することができ、環境内の機能を実行する。しかしながら、通知コンポーネント１７０はイベントを起動する際に、様々な形態をとることができるため、その形態は提供される実施例によって限定されない。
【００５６】
図１８は実施形態を示しており、トランスデューサまたはアクチュエータモジュール３３０が含まれる場合、これは一般にクロック３３５、演算処理部３４５、および受信部３４０を含み、ＮＭ１９０を介してコンテンツ管理モジュール１８０から入力信号を受信することができる。アクチュエータモジュール３３０は出力として、モータと、例えばゲートコントローラ、ドア打撃によるロック、または他の類似デバイスなどのドア回路を乾接点を介して制御するコマンドを供給する。この実施形態では、環境の制御はコントローラにより発生し、これはネットワーク内の複数のデバイスへ出力コマンドを送信することができる。別の実施形態では、デバイスのオンまたはオフの何れかにスイッチを用いることができる。この実施形態では、ネットワークを越えてインタフェースへ２進数コマンドを送信し、または環境内の他のデバイスおよび／またはソフトウェアを制御する受信部にリモート接続することができる。
【００５７】
通常、少なくとも１つの通知コンポーネント１７０の目的は、イベントを起動し、および／または個人のユーザに通知することである。しかしながら、個人の通知またはイベントの起動は、様々な形態をとることができ、状況により、様々な複数のユーザおよびデバイスを起動することができるため、その実施例は決して限定されないことを当業者は理解することができる。
【００５８】
実施形態では、少なくとも１つの通知コンポーネント１７０が次に予め選択された受信ノード２２０に送信され、少なくとも１つの通知コンポーネント１７０の受信が固定端末および／またはトランシーバまたは他の携帯デバイスを起動することができる。実施形態では、予め選択された受信ノード２２０が複数のトランシーバである。複数のトランシーバは他のトランシーバに送信し、および／または環境内の他のトランシーバへ情報を再送信する。この実施形態では、商業環境３２０内の従業員が通信し、さらに画像データを送信し、コンテンツ管理モジュール１８０でコンテンツを登録することができる。別の実施形態では、トランシーバがさらにトランシーバに無線信号（例えば赤外線または無線周波数）を送信することによって動作する「ローカル」リモートコントロールとして働き、これは別の予め選択された受信ノード２２０と受信部を介してモータまたはアプリケーションに接続される。この実施形態は、環境内の別の制御レベルをシステム１００のユーザに提供する。
【００５９】
管理生体認証通知システム１００は、実時間環境で集められた情報を制御および管理し、様々な外部の情報源から最新の情報のある環境と対話処理する機能を提供する。システム１００はユーザに対話型システムコンポーネントを提供し、これは様々な技術を用いて利用可能な資源に情報を送信し、動的環境で実時間フィードバックを提供する機能を含む。
【００６０】
管理生体認証通知システム１００の利点は、システム１００のコンテンツ管理モジュール１８０という構成要素である。コンテンツ管理モジュール１８０は、情報の識別が不可欠な環境へのコンテンツの配信を制御する。コンテンツ管理モジュール１８０は、実施形態では、ブラウザによるインタフェースを介してユーザにシステム１００のリマインダーと対話処理させることができる。ユーザは、システム１００で受信され、格納され、および比較されたコンテンツの制御も提供される。
【００６１】
具体的には、管理生体認証通知システム１００の利点は、少なくとも１つの通知コンポーネント１７０の送信を管理する機能である。コンテンツ管理モジュール１８０は、他のデバイスに関連づけられたアプリケーションまたはアクチュエータの起動などの環境内のイベントを管理する機能をユーザ、および情報を受信するユーザおよびユーザグループに提供する。この利点は、環境内の資源を実時間のシナリオで実装アルゴリズムの結果と交わるということである。
【００６２】
システム１００は、ユーザに通知の種類、例えば送信モードの種類を管理する機能を提供する。送信時間は制御することもできる。本書では、通知コンポーネント１７０は、様々な所定の因子、例えば日時間隔に基づくよう導くことができる。万引き犯として知られている個人の少なくとも１つのデータポイント１７５を含む少なくとも１つの通知コンポーネント１７０が、利用可能な警備員へ送信することができる一方、個人の購入履歴を店員に送信したり、心臓病を持つと知られている人を心肺蘇生法を理解するスタッフの誰かに送信したりなど、システム１００に向けられる用途はもっと沢山ある。
【００６３】
このアプリケーションは、環境内の様々なエリアへ特別な人または特定の人の入場を許可するのに用いてもよい。そのため、その状況に特有の情報を必要とする環境では多くの状況が想定できることを当業者は理解することができ、これは管理生体認証通知システム１００と連動して用いることができるため、上記実施例は決して限定するよう意図されていない。
【００６４】
コンテンツ管理モジュール１８０によって提供される別の利点は、管理生体認証通知システム１００の様々なデータベースとコンテンツを生成する選択肢をユーザに提供する機能である。コンテンツ管理モジュール１８０は、申し込みによってデータベースを生成し、局所環境３２０からコンテンツをデータマイニングし、または生成する機能を含む。この選択肢は、システム１００のユーザにコンテンツの編集を制御させることができる。
【００６５】
管理生体認証通知システム１００のコンテンツの生成は、生成されたコンテンツを参照する様々な追加データを含んでもよい。そのため、システム１００の更なる利点は、システム１００の例えば画像、備考を含む関連データを含む機能である。関連データは、少なくとも１つの通知コンポーネント１７０と同一または均等な様々な方法によりアップロードすることができる。さらに、システム１００の別の利点は格納されたコンテンツを変更する機能である。この目的のため、コンテンツ管理モジュール１８０は、ＡＭＭ２１０を介してシステム１００のコンテンツを変更する人の安全対策を提供する。個人に関する更新通知は、個人がスタッフと特定の敵対関係を持っていたり、敵意を増していたり、もしくは武器を持っていると知っていたり、以前に店舗の特定のエリアを標的としたりする場合に重要である。したがって、もし権限を与えられれば、コンテンツの変更は最新のシステム１００を維持するのに不可欠である。
【００６６】
管理生体認証通知システム１００の別の利点は、少なくとも１つの予め選択された受信ノード２２０である。実施形態では、少なくとも１つの予め選択された受信ノードがトランシーバである。トランシーバは、環境内の次のユーザまたは職員に重要な情報を伝送するだけではなく、機動性を提供し、その情報に基づいたアプリケーションまたはイベントを起動する機能をユーザに提供する。これは、環境内の人々に追加の管理水準を設ける。さらに、トランシーバは環境内の別のトランシーバに通信することができる一方、トランシーバは比較モジュール１４０に画像を伝送し、コンテンツに基づいて少なくとも１つの通知コンポーネント１７０を受信することもできる。
【００６７】
管理生体認証通知システム１００は、様々な環境で用いることができる。システム１００は、周囲監視、自動入場、顧客認識または予め権限を与えられた訪問者識別として商業環境３２０に実装することができる。小売環境では、システム１００が運用コストを低減し、スタッフの効率を上げるであろう。
【００６８】
戦略的な位置に設けた後、管理生体認証通知システム１００がさらに万引きによる在庫数減少を低減するであろう。システム１００は、データベースの広範囲の画像で個人をマッチングする確率を高めることによりこの結果を得る。システム１００は常に、様々な情報源、例えばサードパーティデータベース、ウォッチリスト、要求データマイニングサイトが設けられる環境から来るコンテンツを更新し、コンテンツに接続する。そのため、読み出された情報は様々な情報源の新しいデータと比較され、マッチングの確率を向上する。
【００６９】
管理生体認証通知システム１００は、複数の場所で用いられるよう設計され、中央監視所または本部を含む。そのため、システム１００にネットワーク接続された複数の場所から取得した第１コンテンツ１１０は中央監視所に送信され、比較モジュール１４０が図１０に示される処理を開始するが、システム１００の利点は図１３および図１４に示されるような少なくとも１つの画像取得システム１０５の処理の実装である。
【００７０】
少なくとも１つの画像取得システム１０５で特徴セット１１０ａを処理するという利点は、特徴セット１１０ａのみを比較のため送信させることができるということである。この比較結果がシステム１００の所望の閾値に達する場合、比較モジュール１４０は少なくとも１つの画像取得システム１０５から第１コンテンツ１００を要求する。システム１００の多くのユーザがネットワーク接続する場合、これは特に重要である。この利点は、ネットワーク上で送信されるデータ量を低減するため、利用可能な帯域幅に対する負荷量を低減する。
【００７１】
特定の例示的な実施形態が記載され、添付図面に示されたが、この実施形態は単に例示的であり、本発明に限定的ではなく、当業者は変更を想定することができるので、本発明が図示され記載された特定の構成および配置に制限されないことを理解されたい。
【図１】
0005984191.tif 000002
【図２】
0005984191.tif 000003
【図３】
0005984191.tif 000004
【図４】
0005984191.tif 000005
【図５】
0005984191.tif 000006
【図６】
0005984191.tif 000007
【図７】
0005984191.tif 000008
【図８】
0005984191.tif 000009
【図９】
0005984191.tif 000010
【図１０】
0005984191.tif 000011
【図１１】
0005984191.tif 000012
【図１２】
0005984191.tif 000013
【図１３】
0005984191.tif 000014
【図１４】
0005984191.tif 000015
【図１５】
0005984191.tif 000016
【図１６】
0005984191.tif 000017
【図１７】
0005984191.tif 000018
【図１８】
0005984191.tif 000019